(57)【特許請求の範囲】
【請求項１】
商品(1)を取出自在に収納したケース本体(5)に関して、商品(1)を取出不能とするように該ケース本体(5)を施錠する錠手段(10)と、前記ケース本体(5)のハウジング(8)に対して該ハウジングの端壁(17)に向けて挿入方向Ｆ１に移動したとき前記錠手段(10)を施錠し、引出方向Ｒ１に移動したとき前記錠手段(10)を解錠する鍵部材(9)とを備えた構成において、
前記鍵部材(9)をハウジング(8)に挿入したとき該鍵部材を前記引出方向Ｒ１に移動しないように該引出方向Ｒ１に交差する方向から自動的に抜止め係止すると共に、解錠磁石手段の吸着を介して前記抜止め係止を解除することにより該鍵部材(9)を前記引出方向Ｒ１に移動可能とするロック手段(25)を備えた開閉施錠装置(7)と、前記ケース本体(5)のハウジング(8)の外部から前記ロック手段(25)に臨ませたとき該ロック手段の係止を解除する解錠磁石手段(44)を備えた解錠装置(39)とから成り、
前記端壁(17)と鍵部材(9)の相互間にハウジング(8)に挿入された鍵部材(9)を引出方向Ｒ１に付勢することにより前記ロック手段(25)に押圧係止力を与える弾性付勢手段(50)を設け、該弾性付勢手段(50)に抗して前記鍵部材(9)を挿入方向Ｆ１に移動することにより前記押圧係止力を解除するように構成し、
前記鍵部材(9)は、ハウジング(8)に挿入され前記ロック手段(25)を抜止め係止した状態で、該ハウジングの出入口(15)に挿入される栓部(23)を該鍵部材の引出方向Ｒ１の端部に備えると共に、該栓部(23)に引出用磁性体(24)を設けており、
前記解錠装置(39)は、ケース本体(5)の外部から前記鍵部材(9)のロック手段(25)に臨む第一支持壁(41)と、前記挿入方向Ｆ１から該鍵部材(9)の栓部(23)に臨む第二支持壁(42)とを備え、前記第一支持壁(41)に解錠磁石手段(44)を設けると共に、前記第二支持壁(42)に引出磁石手段(45)を設けており、
前記開閉施錠装置(7)のロック手段(25)及び栓部(23)と、前記解錠装置(39)の第一支持壁(41)及び第二支持壁(42)並びに解錠磁石手段(44)及び引出磁石手段(45)は、相互に、栓部(23)を第二支持壁(42)に向けて移動させ前記弾性付勢手段(50)による押圧係止力を解除すると共に前記引出用磁性体(24)を解錠装置(39)の引出磁石手段(45)に吸着させた状態で、解錠磁石手段(44)がロック手段(25)に臨み該ロック手段の抜止め係止を解除するように配置され、ケース本体(5)を第一支持壁(41)に沿って移動させたとき、栓部(23)を第二支持壁(42)に固定した状態で、鍵部材(9)を前記引出方向Ｒ１に移動させるように構成されて成ることを特徴とする商品展示ケースの開閉施錠装置及び解錠装置。
【請求項２】
前記ロック手段(25)は、前記鍵部材(9)とハウジング(8)の相互の間で係脱自在に係止するロック爪(27)(27A,28A)と切欠部(28)(28A,28B)を構成し、前記ロック爪は前記引出方向Ｒ１の交差方向に揺動自在且つ前記係止方向に弾性付勢され、前記切欠部は前記引出方向Ｒ１の対向方向からロック爪の先端部に係止するように形成されており、
前記弾性付勢手段(50)は、鍵部材(9)をハウジング(8)に挿入してロック爪と切欠部を相互に係止したロック状態で、該ロック爪の先端部と切欠部を相互に押圧係止するように該鍵部材(9)を引出方向Ｒ１に付勢し、該弾性付勢手段(50)によりロック爪の先端部と切欠部を相互に押圧係止した状態でロック爪が解錠磁石手段(44)により係止解除方向に揺動しないように構成する一方、該弾性付勢手段(50)の付勢力に抗して鍵部材(9)を挿入方向Ｆ１に移動した状態で前記押圧係止が解除されるように構成されて成ることを特徴とする請求項１に記載の商品展示ケースの開閉施錠装置及び解錠装置。
【発明の詳細な説明】
【技術分野】
【０００１】
本発明は、商品、特に、ＣＤやＤＶＤ等を収納したソフト収納ケースを販売店や貸出店等の店舗において展示するための外装ケースとして使用される商品展示ケースに係り、顧客が商品展示ケースからソフト収納ケースを勝手に取り出すことができないように施錠する開閉施錠装置とその解錠装置を提供するものである。
【背景技術】
【０００２】
従来、ソフト収納ケースの外装ケースとして使用される商品展示ケースは、収納室に対してソフト収納ケースを挿脱自在とするケース本体の開口部に、開口縁から開口部の一部分を開閉自在に閉鎖する開閉施錠装置を設けたものが公知である。
【０００３】
開閉施錠装置は、ケース本体の開口縁にハウジングを設ける一方、該ハウジングに対して錠手段を着脱自在に固着し、錠手段により開口部の一部分を開閉自在に閉鎖するように構成している。錠手段は、ハウジングに挿入することにより自動ロック機構を介して取外し不能に固着され、これによりソフト収納ケースを外装ケースから取出せないように施錠する。
【０００４】
顧客がソフトの販売又は貸出を希望する場合は、店舗の従業員が専用の鍵で錠手段のロックを解除し、錠手段をハウジングから取外すことにより、外装ケースからソフト収納ケースを取出し、顧客に引き渡す。
【特許文献１】特許第３１５８２７２号公報
【特許文献２】特許第２８１１４１８号公報
【発明の開示】
【発明が解決しようとする課題】
【０００５】
前述の従来技術の場合、外装ケースのハウジングに対して錠手段を着脱自在に固着する構成であり、解錠に際しては、専用の鍵で錠手段のロックを解除した後、錠手段をハウジングから取外す作業を行い、また、施錠に際しては、錠手段をハウジングに正確に位置決めした状態で挿入固着する作業を行うため、作業が煩雑である。
【０００６】
しかも、錠手段は、ケース本体から取外されてしまうから、その紛失を防止するためには、解錠の後、再度、錠手段をハウジングに挿着することによりケース本体に付属させておくことが好ましい。然しながら、作業が煩雑なため、店舗の従業員が取外した錠手段をそのまま放置する虞れがあり、解錠後の錠手段が散乱するという問題がある。
【０００７】
そこで、本発明者は、先に、特願２００４−５５８４１号（特許第３８３９４３９号）として、錠手段のロック解除後も錠手段がケース本体に付属する構造とした商品展示ケースの開閉施錠装置を提案した。この開閉施錠装置は、ケース本体のハウジングに開口縁から開口部に向けて進退移動自在な錠手段を設けており、ハウジングに対して、鍵部材を挿入方向に移動した状態で錠手段を前進方向に移動した位置から後退方向に移動不能に保持し、錠手段を引出方向に移動した状態で錠手段を後退方向に移動可能とするように構成している。そして、鍵部材をハウジングに挿入したとき、鍵部材の引出方向への移動を阻止するように、揺動自在且つ弾性的に付勢されたロック爪と、該引出方向に対向してロック爪の先端部に係止する切欠部とから成るロック手段を設けている。そこで、ロック手段を解除する際には、ハウジングの外側から解錠磁石手段をロック爪に臨ませると、ロック爪が解錠磁性体を備えているので、解錠磁石手段に吸引される方向に揺動し、ロック爪の先端部を切欠部から脱するように構成されている。
【０００８】
ところが、本発明者が知見したところによると、先に提案した装置は、ロック爪の先端部に対して切欠部が錠手段の引出方向に対向する方向から係止しているに過ぎないため、不正な顧客がハウジングの外側から磁石を適当に臨ませ、ケース本体を揺する等の振動を与えているうちに、偶然にロック手段が解錠されてしまうという問題がある。
【課題を解決するための手段】
【０００９】
本発明は、上述のような課題を解決した商品展示ケースの開閉施錠装置及びその解錠装置を提供するものである。
【００１０】
そこで、本発明の開閉施錠装置及び解錠装置が手段として構成したところは、商品(1)を取出自在に収納したケース本体(5)に関して、商品(1)を取出不能とするように該ケース本体(5)を施錠する錠手段(10)と、前記ケース本体(5)のハウジング(8)に対して該ハウジングの端壁(17)に向けて挿入方向Ｆ１に移動したとき前記錠手段(10)を施錠し、引出方向Ｒ１に移動したとき前記錠手段(10)を解錠する鍵部材(9)とを備えた構成において、前記鍵部材(9)をハウジング(8)に挿入したとき該鍵部材を前記引出方向Ｒ１に移動しないように該引出方向Ｒ１に交差する方向から自動的に抜止め係止すると共に、解錠磁石手段の吸着を介して前記抜止め係止を解除することにより該鍵部材(9)を前記引出方向Ｒ１に移動可能とするロック手段(25)を備えた開閉施錠装置(7)と、前記ケース本体(5)のハウジング(8)の外部から前記ロック手段(25)に臨ませたとき該ロック手段の係止を解除する解錠磁石手段(44)を備えた解錠装置(39)とから成り、前記端壁(17)と鍵部材(9)の相互間にハウジング(8)に挿入された鍵部材(9)を引出方向Ｒ１に付勢することにより前記ロック手段(25)に押圧係止力を与える弾性付勢手段(50)を設け、該弾性付勢手段(50)に抗して前記鍵部材(9)を挿入方向Ｆ１に移動することにより前記押圧係止力を解除するように構成し、前記鍵部材(9)は、ハウジング(8)に挿入され前記ロック手段(25)を抜止め係止した状態で、該ハウジングの出入口(15)に挿入される栓部(23)を該鍵部材の引出方向Ｒ１の端部に備えると共に、該栓部(23)に引出用磁性体(24)を設けており、前記解錠装置(39)は、ケース本体(5)の外部から前記鍵部材(9)のロック手段(25)に臨む第一支持壁(41)と、前記挿入方向Ｆ１から該鍵部材(9)の栓部(23)に臨む第二支持壁(42)とを備え、前記第一支持壁(41)に解錠磁石手段(44)を設けると共に、前記第二支持壁(42)に引出磁石手段(45)を設けており、前記開閉施錠装置(7)のロック手段(25)及び栓部(23)と、前記解錠装置(39)の第一支持壁(41)及び第二支持壁(42)並びに解錠磁石手段(44)及び引出磁石手段(45)は、相互に、栓部(23)を第二支持壁(42)に向けて移動させ前記弾性付勢手段(50)による押圧係止力を解除すると共に前記引出用磁性体(24)を解錠装置(39)の引出磁石手段(45)に吸着させた状態で、解錠磁石手段(44)がロック手段(25)に臨み該ロック手段の抜止め係止を解除するように配置され、ケース本体(5)を第一支持壁(41)に沿って移動させたとき、栓部(23)を第二支持壁(42)に固定した状態で、鍵部材(9)を前記引出方向Ｒ１に移動させるように構成されて成る点にある。
【００１１】
本発明の実施形態において、前記ロック手段(25)は、前記鍵部材(9)とハウジング(8)の相互の間で係脱自在に係止するロック爪(27)(27A,28A)と切欠部(28)(28A,28B)を構成し、前記ロック爪は前記引出方向Ｒ１の交差方向に揺動自在且つ前記係止方向に弾性付勢され、前記切欠部は前記引出方向Ｒ１の対向方向からロック爪の先端部に係止するように形成されており、前記弾性付勢手段(50)は、鍵部材(9)をハウジング(8)に挿入してロック爪と切欠部を相互に係止したロック状態で、該ロック爪の先端部と切欠部を相互に押圧係止するように該鍵部材(9)を引出方向Ｒ１に付勢し、該弾性付勢手段(50)によりロック爪の先端部と切欠部を相互に押圧係止した状態でロック爪が解錠磁石手段(44)により係止解除方向に揺動しないように構成する一方、該弾性付勢手段(50)の付勢力に抗して鍵部材(9)を挿入方向Ｆ１に移動した状態で前記押圧係止が解除されるように構成するのが好ましい。
【発明の効果】
【００１２】
本発明の開閉施錠装置は、図１に示すようなケース本体５の開口部４から収納室にソフト収納ケース等の商品を収容した後、錠手段１０を前進方向Ｆ２に移動することにより商品を取出し不能とするように施錠される。この際、鍵部材９をハウジング８に対して挿入方向Ｆ１に移動させると、錠手段１０が商品を取出し可能とする後退方向Ｒ２への移動を阻止されると共に、鍵部材９がロック手段２５により引出し方向Ｒ１への移動を阻止される。或いは、図５に示すような開閉自在なケース本体５に商品を収納した状態で閉じることにより、ハウジング８に対して鍵部材と錠手段を兼備する錠鍵兼用部材６０を挿入方向Ｆ１に挿入し移動すれば、該部材６０の錠手段１０によりケース本体５が開放不能に施錠されると共に、鍵部材９がロック手段２５により引出し方向Ｒ１への移動を阻止される。
【００１３】
従って、ソフト収納ケース等の商品は展示ケースから取出不能であり、しかも、鍵部材９は、ハウジング８の内部においてロック手段２５により引出方向に移動しないように係止されるので、顧客が勝手に解錠することはできず、ケース本体５から商品を取出すことはできない。またこの際、弾性付勢手段５０がロック手段２５の係止状態を維持するように作用するので、振動等が生じたときでもロック状態が解除されることはなく、鍵部材９の引出し方向Ｒ１への移動を確実に阻止する。
【００１４】
顧客がソフトの販売又は貸出を希望する場合は、店舗の従業員が解錠装置３９で前記ロック手段２５の係止を解除すれば、鍵部材９は、ハウジング８から引出方向Ｒ１に移動可能となる。そこで、鍵部材９を引出方向Ｒ１に移動させることにより、錠手段１０が解錠されるので、商品を展示ケースから取出し、顧客に引き渡すことができる。
【００１５】
そこで、本発明は、鍵部材９をハウジング８に挿入したとき、ロック手段２５が引出方向Ｒ１に交差する方向から該鍵部材９を自動的に抜止め係止するように構成されているだけでなく、該抜止め係止位置において該鍵部材９を引出方向Ｒ１に付勢することにより前記ロック手段２５に押圧係止力を与える弾性付勢手段５０を設けている。従って、不正な顧客がハウジング８の外側から磁石を適当に臨ませて解錠を試み、もしも、偶然に磁石がロック手段２５の抜止め係止を解除する方向から臨まされたときでも、磁石の吸着力が前記押圧係止力を解除するに足りるものでない限り、簡単にロック手段２５の抜止め係止が解錠される危険は低いので施錠効果が高いという効果がある。
【００１６】
反対に錠手段１０を解錠する場合は、抜止め係止位置から鍵部材９を弾性付勢手段５０に抗して挿入方向Ｆ１に移動すれば、ロック手段２５に与えられていた押圧付勢力が解除されるので、この状態でロック手段２５に所定方向から解錠磁石手段４４を臨ませると、ロック手段２５の抜止め係止が簡単に解除され、鍵部材９を引出方向Ｒ１に移動できる。従って、鍵部材９を挿入方向Ｆ１に移動させる動作を行うだけで、解錠装置３９によりロック手段２５の抜止め係止を簡単に解除できるので、鍵部材９を引出方向Ｒ１に移動することにより解錠可能となる。
【００１７】
この解錠に関して、本発明によれば、ケース本体５の外部から解錠装置３９の解錠磁石手段４４をロック手段２５に臨ませることにより該ロック手段２５の抜止め係止を解除するだけでなく、引き続いてケース本体５を所定方向に移動させることにより、自動的に鍵部材９を引出方向Ｒ１に移動させ錠手段１０を解錠できるという効果がある。従って、作業者は、鍵部材９を指先で摘んで引出方向Ｒ１に移動させるような煩雑な作業を必要としない。即ち、作業者は、ケース本体５を解錠装置３９の所定位置に配置し、前述のような弾性付勢手段５０に対向する方向にケース本体５を押動した後、反対方向に向けてケース本体５を移動させるという一連の動作を行うだけで、鍵部材９を引出方向Ｒ１に移動させることが可能であり、簡単な作業で錠手段１０を解錠できる。
【００１８】
このような簡単な作業による解錠動作を可能にするため、本発明の鍵部材９は、引出方向Ｒ１の端部に栓部２３を形成すると共に該栓部２３に引出用磁性体２４を設けている。そして、これに対応させて、本発明の解錠装置３９は、解錠磁石手段４４を設けた第一支持壁４１の他に、ロック手段２５を前記解錠磁石手段４４に臨ませるようにケース本体５を解錠装置３９に対して位置させた状態で、該解錠装置３９に栓部２３の引出磁性体２４に臨むように配置された第二支持壁４２を形成し、該第二支持壁４２に引出磁石手段４５を設けている。従って、錠手段１０を解錠するため、作業者がロック手段２５に対応するケース本体５の側面を第一支持壁４１に臨ませたとき、その状態で栓部２３の引出用磁性体２４に第二支持壁４２の引出磁石手段４５が臨ませられている。そこで、作業者は、ケース本体５を第二支持壁４２に向けて押動すれば、弾性付勢手段５０による押圧係止力が解除されると同時にロック手段２５の抜止め係止が解除されるので、そのままケース本体５を第一支持壁４１に沿って前記押動方向の反対方向に向けて移動させれば、引出磁石手段４５と引出用磁性体２４の吸着を介して栓部２３が第二支持壁４２に固定されているので、鍵部材９がハウジング８から引出方向Ｒ１に移動されることになる。
【発明を実施するための最良の形態】
【００１９】
以下図面に基づいて本発明の好ましい実施形態を詳述する。
【００２０】
（開閉施錠装置の構成）
図１ないし図３に示すように、ソフト収納ケース等の商品１を収容する外装ケースとしての展示ケース２は、収納室３に対して商品１を挿脱自在に収容させるようにほぼ全面開放状とされた開口部４を形成した皿状のケース本体５を構成しており、開口部４の対向する２辺に位置して、一方にストッパ壁６を設け、他方に開閉施錠装置７を設けている。
【００２１】
開閉施錠装置７は、ケース本体５の開口縁に沿ってＸ軸方向に延設されたハウジング８と、Ｘ軸方向に関して挿入方向Ｆ１と引出方向Ｒ１に進退移動自在となるようにハウジング８に挿入された鍵部材９と、ケース本体５の開口縁から開口部４に向かうＹ軸方向に関して開口部４に対する前進方向Ｆ２と後退方向Ｒ２に進退移動自在となるように前記ハウジング８に添設された錠手段１０とから構成されている。ハウジング８は、前記ストッパ壁６と共に、合成樹脂によりケース本体５と一体成形されており、鍵部材９と錠手段１０は、それぞれ合成樹脂により別個に成形されている。
【００２２】
従って、後述のように開閉施錠装置７を作動させることにより、錠手段１０を後退方向Ｒ２に移動させると、商品１は、ストッパ壁６を乗り越えさせることにより開口部４を介して収納室３にほぼ嵌入状に収容することができ、或いは、収容状態から開口部４を介して取出すことができる。商品１を収納室３に収納した状態で、錠手段１０を前進方向Ｆ２に移動させると、錠手段１０が開口部４の一部分を閉鎖し、これにより商品１を相互に対向するストッパ壁６と錠手段１０により拘束するので、商品１は収納室３から取出不能となる。
【００２３】
ハウジング８は、ケース本体５の背壁５ａとほぼ同一面をなして起立する背壁１１と該背壁１１の起立端からケース本体５の周壁５ｂに対面するＺ軸方向に延びる上壁１２により溝部１３を形成している。溝部１３は、開口部４の開口縁に沿って開口する溝開口１４と、Ｘ軸方向の端部に開口する出入口１５を開設しており、溝開口１４の内部にＹ軸方向に突出する連結片１６を備えている。尚、溝部１３のＸ軸方向の他端部は端壁１７により閉鎖されている。
【００２４】
錠手段１０は、前記溝部１３の溝開口１４を被う縦板部１８と、該縦板部１８から溝開口１４の内部に向けて延びる横板部１９とを備え、該横板部１９に前記連結片１６を挿入せしめる連結孔２０を形成している。従って、連結片１６と連結孔２０の係止により、錠手段１０は溝部１３に対して脱落不能に組み込まれ、しかも、Ｙ軸方向に移動可能とされている。
【００２５】
鍵部材９は、ハウジング８の出入口１５から溝部１３に挿入されたとき、前記縦板部１８に対面する縦壁部２１と、前記横板部１９に対面する横壁部２２とを備え、ハウジング８に対して挿入方向Ｆ１に移動した状態で、出入口１５の縁部とほぼ面一となるように挿入される栓部２３を備えており、該栓部２３の内側面に鉄板片等の引出用磁性体２４を設けている。
【００２６】
また、鍵部材９はハウジング８に挿入された状態で前記引出方向Ｒ１への移動を阻止するように係止するロック手段２５を備えており、ハウジング８の背壁１１の外部から後述する解錠磁石手段を臨ませたとき該ロック手段２５の係止を解除する鉄板片等の解錠用磁性体２６を設けている。また、鍵部材９のＸ軸方向に関して前記栓部２３と反対側端部に、鍵部材９がハウジング８に挿入された状態で鍵部材９を引出方向Ｒ１に付勢することにより、前記ロック手段２５の係止状態を維持する弾性付勢手段５０を設けている。
【００２７】
ロック手段２５は、鍵部材９とハウジング８の内壁部との相互間に設けても良いが、図示実施形態では、鍵部材９の縦壁部２１と錠手段１０の横板部１９の縁部との相互間に設けられている。即ち、鍵部材９の縦壁部２１に切欠を介してＸ軸方向と垂直な内側に向けて弾性的に付勢されると共に引出方向Ｒ１に先端部（２７ａ）を有するロック爪２７が設けられ、これに対して、錠手段１０の横板部１９の縁部には、Ｘ軸方向に沿って切欠部２８が延設され、該切欠部２８の端部にはロック爪２７の付勢された先端部を係止する構造が形成されている。従って、鍵部材９を挿入方向Ｆ１に移動し、栓部２３を出入口１５に挿入すると、ロック爪２７の先端部２７ａが切欠部２８の底部に没入して、その先端部が切欠部２８の端部に係止することにより、鍵部材９の引出方向Ｒ１の移動を阻止する。つまり抜止め係止する。
【００２８】
弾性付勢手段５０は、鍵部材９に一体的に形成されたＶ字状のばね部材で構成されており、鍵部材９がハウジング８に挿入された状態でハウジング８の端壁１７の内面１７ａと接触してＶ字角度が小さくなるように押し込められ、それによる反発力がロック爪２７の先端と切欠部２８の端部との係合部に摩擦力を生じさせて、ロック手段２５の係止状態を良好に維持させる。即ち、鍵部材９が弾性付勢手段５０により引出方向Ｒ１に付勢された状態で、ロック爪２７の先端部を同様に引出方向Ｒ１に向けて付勢するので、該引出方向Ｒ１に対向して臨む切欠部２８の底部に対してロック爪２７の先端部が押圧状態で係止される。つまり押圧係止力が作用する。尚、図示実施形態において、弾性付勢手段５０は、鍵部材９の端部に設けた場合を例示しているが、ハウジング端壁１７の内面側に設けても良く、要するに、鍵部材９と端壁１７の間に設けておけば良い。
【００２９】
切欠部２８の底部は、引出方向Ｒ１に対向して臨む凹部２８ａを形成し、これに対して、ロック爪２７の先端部は、該凹部２８ａに嵌入する凸部２７ａを形成している。図例の場合、凹部２８ａは、切欠部２８における係止端部の上部が底部よりも張り出した鋭角部分を有するように形成されており、ロック爪２７の凸部２７ａは、この鋭角部分２８ａと接合するようにテーパ形状とされているが、要するに、凹部２８ａに凸部２７ａが嵌合した状態で、ロック爪２７が係止状態を解除する方向への揺動を阻止されるような形状に構成されていれば良い。従って、図示実施形態の場合、鍵部材９がハウジング８に挿入された状態で弾性付勢手段５０によって付勢されると、ロック爪２７の先端部の凸部２７ａが切欠部２８の凹部２８ａに収容された嵌合状態となる。これにより、ロック爪２７と切欠部２８との係止状態が安定し、振動等が生じた場合であってもロック手段２５のロックが解除されることを防止する。
【００３０】
そしてロック手段２５のロックを解除する際には、鍵部材９を挿入方向Ｆ１に若干押し込めば良い。それにより、弾性付勢手段５０によって付勢されることにより切欠部２８に押圧されていたロック爪２７の先端部が押圧係止状態を弛めることになる。図示実施形態の場合、ロック爪２７の凸部２７ａが切欠部２８の凹部２８ａから退避し、ロック解除可能な状態になる。
【００３１】
更に、錠手段１０と鍵部材９は、相互に、鍵部材９を挿入方向Ｆ１に移動したとき錠手段１０を前進方向Ｆ２に移動させ、鍵部材９を引出方向Ｒ１に移動したとき錠手段１０を後退方向Ｒ２に移動させる開閉連動手段２９により連動的に連結されている。
【００３２】
図示実施形態において、開閉連動手段２９は、錠手段１０の横板部１９と鍵部材９の横壁部２２の相互間に設けられ、鍵部材９の引出方向Ｒ１の移動により錠手段１０を後退方向Ｒ２に移動させる開放連動カム機構３０と、鍵部材９の挿入方向Ｆ１の移動により錠手段１０を前進方向Ｆ２に移動させる閉鎖連動カム機構３１を構成している。
【００３３】
開放連動カム機構３０は、鍵部材９の横壁部２２から引出方向Ｒ１に向けて下向き傾斜面を有する主動手段３２と、錠手段１０の横板部１９から挿入方向Ｆ１に向けて上向き傾斜面を有する従動手段３３とから構成されている。尚、主動手段３２は、アーム状に突出せしめ、若干の可撓性を有することが好ましい。従って、鍵部材９を引出方向Ｒ１に移動すると、主動手段３２の下向き傾斜面が従動手段３３の上向き傾斜面に沿って摺動し、錠手段１０を後退方向Ｒ２に移動させるように構成されている。尚、横壁部２２の主動手段３２に近傍する個所には従動手段３３の先端を受け入れる孔等の空間部３４が形成されており、横板部１９の従動手段３３に近傍する個所には主動手段３２の先端を受け入れる孔等の空間部３５が形成されている。
【００３４】
閉鎖連動カム機構３１は、引出方向Ｒ１に移動された鍵部材９と後退方向Ｒ２に移動された錠手段１０を相互にＹ軸方向から嵌合することにより、鍵部材９が出入口１５から抜き出されることを阻止する孔３６と突起３７を備えており、鍵部材９を引出位置から挿入方向Ｆ１に移動したとき、突起３７と孔３６の縁部の相互摺動により、錠手段１０を前進方向Ｆ２に移動させるカム面３８を突起３７に設けている。図示実施形態においては、孔３６を錠手段１０の横板部１９に設け、突起３７を鍵部材９の横壁部２２に設けると共に、挿入方向Ｆ１に向かう側の突起３７の縁部に突起の先端から上向き傾斜するカム面３８を設けているが、これとは反対に、孔３６を鍵部材９の横壁部２２に設け、突起３７を錠手段１０の横板部１９に設けても良い。
【００３５】
（解錠装置の構成）
前述の開閉施錠装置７の解錠を簡単容易に行わせるため、図４（Ａ）に示すような解錠装置３９が提供される。解錠装置３９は、ベース壁４０と、ケース本体５におけるハウジング８の背壁１１の外部から鍵部材９のロック手段２５に臨む第一支持壁４１と、鍵部材９の栓部２３に臨む第二支持壁４２とを一体に備えている。
【００３６】
ベース壁４０は、錠手段１０の後退方向Ｒ２に対向して該錠手段１０に臨み、前記第一支持壁４１と平行に延びる受入溝４３を形成している。
【００３７】
第一支持壁４１は、内壁面に露出するように解錠磁石手段４４を設けており、第二支持壁４２は、内壁面に露出するように引出磁石手段４５を設けると共に、鍵部材９の栓部２３に当接する位置に突起部５５を設けている。但し、突起部５５は、図示実施形態では第二支持壁４２に設けてあるが、第二支持壁４２が臨む栓部２３に設けても良い。
【００３８】
（作用）
解錠装置３９の使用方法を図４（Ｂ）に基づいて説明し、開閉施錠装置７の解錠時の作用を図３に基づいて説明する。
【００３９】
図３（Ａ）（Ｂ）は、鍵部材９を挿入方向Ｆ１に移動し、栓部２３を出入口１５に挿入した状態を示している。この状態で、閉鎖連動カム機構３１の突起３７は孔３６から脱しており、該突起３７が錠手段１０の横板部１９を押下することにより、錠手段１０を前進方向Ｆ２に移動せしめている。また、弾性付勢手段５０が端壁１７の内面１７ａと接触して鍵部材９を引出方向Ｒ１に付勢しており、ロック手段２５のロック爪２７の凸部２７ａが切欠部２８の凹部２８ａに嵌入収容された状態にあり、ロック爪２７と切欠部２８との係止状態が解除されることを防止しつつ、鍵部材９の引出方向Ｒ１の移動を阻止している。
【００４０】
このような施錠状態から  店舗の従業員が解錠装置３９の使用し、開閉施錠装置７を解錠することにより、展示ケース２から商品１を取出すに際しては、図４（Ｂ）に示すように、ケース本体５を開閉施錠装置７が下向きとなるように姿勢保持した状態で、ハウジング８の背壁１１を第一支持壁４１に沿わせると共に、第二支持壁４２の突起部５５が栓部２３に当接するように、矢印ＤＮで示すように開閉施錠装置７を解錠装置３９に臨ませ、その状態からケース本体５を第一支持壁４１に沿って矢印ＰＳで示すように若干移動させて突起部５５が鍵部材９を若干押し込むようにし、その後、ケース本体５を第一支持壁４１に沿って矢印ＳＤで示すように移動させる動作を行えば、解錠磁石手段４４と解錠用磁性体２６の吸着を介して鍵部材９のロック手段２５の係止解除が自動的に行われ、引抜補助手段を構成する引出磁石手段４５と引出磁性体２４の吸着を介して栓部２３を第二支持壁４５に固定させた状態で、鍵部材９の引出方向Ｒ１の移動と、これに連動する錠手段１０の後退方向Ｒ２の移動を行わせることができる。
【００４１】
即ち、解錠磁石手段４４がハウジング８の背壁１１に臨む状態で鍵部材９が挿入方向Ｆ１に若干押し込まれると、ロック爪２７の先端部（凸部２７ａ）が切欠部２８の係止部（凹部２８ａ）から後退し、しかもその状態でロック手段２５の解錠用磁性体２６が吸引力を受けるため、図３（Ｃ）に示すように、ロック爪２７が弾発付勢力に抗して揺動し、該ロック爪２７の先端部を切欠部２８から脱する。従って、鍵部材９は、引出方向Ｒ１に移動可能な状態となる。
【００４２】
前述のように、栓部２３の引出用磁性体２４が引出磁石手段４５に吸着される引抜き補助手段を構成しているので、ケース本体５を移動すると、図３（Ｄ）（Ｅ）に示すように、鍵部材９とハウジング８が相対的に移動する、即ち、鍵部材９がハウジング８に対して引出方向Ｒ１に移動する。鍵部材９が引出方向Ｒ１に移動すると、開放連動カム機構３０のアーム状の主動手段３２が撓みながら従動手段３３に係合しつつ摺動することにより、錠手段１０を後退方向Ｒ２に移動せしめる。この際、閉鎖連動カム機構３１の突起３７は孔３６に滑落するので、錠手段１０の後退方向Ｒ２の移動を可能にすると共に、鍵部材９が出入口１５から引き抜かれて脱落することを阻止する。このように鍵部材９の引出方向Ｒ１の移動に連動して錠手段１０を後退方向Ｒ２に移動させ、縦板部１８をケース本体５の開口部４から退避させることにより、開口部４を開放するので、商品１は収納室３から取出し可能となる。
【００４３】
解錠後、ケース本体５の収納室３に商品１を収容した後、再度、開閉施錠装置７による施錠を行う場合は、鍵部材９を引出位置から単に挿入方向Ｆ１に移動し、栓部２３を出入口１５に挿入するだけで良い。例えば、作業者が指先等で鍵部材９を挿入方向Ｆ１に押し込むと、閉鎖連動カム機構３１における突起３７のカム面３８が孔３６の縁部に対して挿入方向Ｆ１に向けて押圧するので、孔３６の縁部がカム面３８に沿ってＹ軸方向に移動し、錠手段１０を前進方向Ｆ２に移動させ、縦板部１８によりケース本体５の開口部４の一部分を閉鎖する。挿入方向Ｆ１の移動により、突起３７は、孔３６から脱した後、錠手段１０の横板部１９に接支され、錠手段１０を後退方向Ｒ２に移動しないように固定する。
【００４４】
更に、栓部２３が出入口１５から更に若干奥に挿入されるまで鍵部材９を挿入方向Ｆ１に移動すると、ロック手段２５におけるロック爪２７の先端部（凸部２７ａ）が切欠部２８の底部（凹部２８ｂ）に没入し、その後、挿入方向Ｆ１への押圧を解除すると、弾性付勢手段５０によって鍵部材９が若干引出方向Ｒ１に引き戻されてロック手段２５におけるロック爪２７の先端部（凸部２７ａ）が切欠部２８の底部（凹部２８ａ）に押圧係止する（図示実施形態の場合、凸部２７ａが凹部２８ａに嵌入する）ので、鍵部材９を引出方向Ｒ１に移動しないように抜止め係止する。このとき、鍵部材９の栓部２３は出入口１５の縁部とほぼ面一となる。
【００４５】
（別の実施形態）
図５及び図６は、本発明の別の実施形態を示しており、ケース本体５は、一側縁に設けられたヒンジ手段を介して回動する開閉自在な一対の分割体５ａ、５ｂにより構成されており、商品を収納した後、両分割体５ａ、５ｂを閉じた状態で、錠鍵兼用部材６０により開かないように施錠される。
【００４６】
一対の分割体５ａ、５ｂを閉じた状態で、ケース本体５にはハウジング８が形成されるように構成されている。そこで、ハウジング８の出入口１５から錠鍵兼用部材６０を挿入方向Ｆ１に挿入したとき、錠鍵兼用部材６０は、分割体５ａ、５ｂの開閉端縁に設けた施錠部１０ａ、１０ｂに係合して該分割体５ａ、５ｂを開放不能に施錠する錠手段１０を設けている。また、ハウジング８に挿入された状態で、該部材６０それ自体を引出し方向Ｒ２に移動不能とすることにより錠手段１０を施錠状態に保持する反面、該部材６０それ自体を引出し方向Ｒ２に移動可能とすることにより錠手段１０を解錠可能とする舌片状の鍵部材９が設けられている。
【００４７】
そこで、前記鍵部材９とハウジング８の間には、該鍵部材９を挿入した状態で、該鍵部材９の引出方向Ｒ１への移動を阻止するように、該引出方向Ｒ１と交差する方向に揺動自在且つ弾性的に付勢されたロック爪２７Ａ、２７Ｂと、前記引出方向Ｒ１に対向してロック爪２７Ａ、２７Ｂの先端部に係止する切欠部２８Ａ、２８Ｂとから成るロック手段２５が設けられている。尚、ロック爪２７Ａ、２７Ｂの裏面には解錠用磁性体２６Ａ、２６Ｂが設けられている。
【００４８】
また、鍵部材９の挿入方向の端部には、弾性変形自在な弾性付勢手段５０が設けられており、該鍵部材９をハウジング８に対して挿入方向Ｆ１に挿入した状態で、該弾性付勢手段５０がハウジング８の端壁１７ａに当接することにより圧縮され、錠鍵兼用部材６０を引出し方向Ｒ１に向けて弾発付勢するように構成されている。
【００４９】
従って、錠鍵兼用部材６０は、鍵部材９をハウジング８の出入口１５から挿入方向Ｆ１に挿入すると、錠手段１０がケース本体５の施錠部１０ａ、１０ｂに係合することにより分割体５ａ、５ｂを開放不能に施錠すると共に、鍵部材９がハウジング８の内部でロック爪２７Ａ、２７Ｂを切欠部２８Ａ、２８Ｂに係止することにより該鍵部材９の引出し方向Ｒ１への移動を阻止するようにロックされる。そして、このロック状態で、鍵部材９は、弾性付勢手段５０により引出し方向Ｒ１に向けて付勢されているので、ロック爪２７Ａ、２７Ｂと切欠部２８Ａ、２８Ｂを相互に係止方向に押圧する。この際、ロック爪２７Ａ、２７Ｂの先端部と、切欠部２８Ａ、２８Ｂの間には、上述したような凸部と凹部を形成することが好ましい。尚、錠鍵兼用部材６０の尾端縁には栓部２３が形成されており、該栓部２３がハウジング８の出入口１５の周縁と面一になるように嵌入され、該栓部２３の内側には引出用磁性体２４が設けられている。
【００５０】
鍵部材９を引出し方向Ｒ１に引き出すことにより解錠を行うためには、図６に示すような解錠装置３９が使用される。解錠装置３９は、ケース本体５のハウジング８の外部から鍵部材９のロック手段２５に臨む第一支持壁４１と、鍵部材９の栓部２３に臨む第二支持壁４２が備えられ、前記第一支持壁４１には解錠磁石手段４４が設けられ、第二支持壁４２には引出磁石手段４５が設けられている。更に、第二支持壁４２と前記栓部２３との何れか一方には、他方と当接する突起部５５が設けられている。即ち、図例の場合、突起部５５を第二支持壁４２に設けているが、栓部２３の表面に突出するように設けても良い。
【００５１】
そこで、図６に示すように、栓部２３が第二支持壁４２に向かい、ロック手段２５の解錠用磁性体２６Ａ、２６Ｂが第一支持壁４１に向かうようにして、ケース本体５を解錠装置３９に臨ませ、栓部２３を突起部５５に当接した状態で押し当てると、錠鍵兼用部材６０は、弾性付勢手段５０に抗して若干だけ挿入方向Ｆ１に移動され、ロック爪２７Ａ、２７Ｂの先端部と切欠部２８Ａ、２８Ｂとの押圧係止状態を弛め又は僅かに離反する。これとほぼ同時に、ロック爪２７Ａ、２７Ｂは、解錠用磁性体２６Ａ、２６Ｂを介して解錠磁石手段４４に吸引されることにより揺動し、切欠部２８Ａ、２８Ｂに対する係止を完全に解除する。
【００５２】
このようにしてロック手段２５のロックが解除されるので、その後は、ケース本体５を第二支持壁４２から離反する方向（図示の場合は上方向）に移動させると、引出用磁性体２４と引出磁石手段４５の吸着により構成される引抜き補助手段により、栓体２３を第二支持壁４２に固定した状態でケース本体５が移動されることにより、錠鍵兼用部材６０がケース本体５から引出し方向Ｒ１に引き抜かれ、錠手段１０を解錠する。これにより、ケース本体５は、一対の分割体５ａ、５ｂを開放自在とする。
【図面の簡単な説明】
【００５３】
【図１】本発明に係る開閉施錠装置の１実施形態を備えた展示ケースを示しており、（Ａ）は施錠状態を示す斜視図、（Ｂ）は解錠状態を示す斜視図である。
【図２】開閉施錠装置の１実施形態の要部を示す分解斜視図である。
【図３】開閉施錠装置の作用を示しており、（Ａ）は施錠状態を示す縦断面図、（Ｂ）は施錠状態を示す横断面図、（Ｃ）はロック手段の係止が解除された状態を示す横断面図、（Ｄ）は解錠状態を示す縦断面図、（Ｅ）は解錠状態を示す横断面図である。
【図４】本発明に係る解錠装置の１実施形態を示しており、（Ａ）は解錠装置と開閉施錠装置の関係を示す斜視図、（Ｂ）は解錠方法を示す斜視図である。
【図５】本発明に係る開閉施錠装置の別の実施形態を示す斜視図である。
【図６】本発明に係る開閉施錠装置の別の実施形態の解錠方法を示す斜視図である。
【符号の説明】
【００５４】
１    商品（ソフト収納ケース）
２    展示ケース
３    収納室
４    開口部
５    ケース本体
７    開閉施錠装置
８    ハウジング
９    鍵部材
１０    錠手段
１５    出入口
２３    栓部
２４    引出用磁性体
２５    ロック手段
２６    解錠用磁性体
２７    ロック爪
２７ａ  凸部
２８    切欠部
２８ａ  凹部
２９    開閉連動手段
３０    開放連動カム機構
３１    閉鎖連動カム機構
３２    主動手段
３３    従動手段
３６    孔
３７    突起
３８    カム面
３９    解錠装置
４１    第一支持壁
４２    第二支持壁
４３    受入溝
４４    解錠磁石手段
４５    引出磁石手段
５０    弾性付勢手段
５５    突起部
６０    錠鍵兼用部材
【図１】
0004616866.tif 000002
【図２】
0004616866.tif 000003
【図３】
0004616866.tif 000004
【図４】
0004616866.tif 000005
【図５】
0004616866.tif 000006
【図６】
0004616866.tif 000007